(57)【特許請求の範囲】
【請求項１】
ケーブルを保持する第１ハウジングと、相手側コネクタと接続する端子部を有するコンタクトと、前記コンタクトを保持する第２ハウジングとから構成されるコネクタにおいて、
前記コンタクトは、前記ケーブルと接続する一対の圧接部を有し、
前記第１ハウジングは、前記ケーブルを保持する保持部を有し、
前記第２ハウジングに回転支点部が設けられ、前記第１ハウジングに前記回転支点部の支持部が設けられ、
前記一対の圧接部は、第１刃状部と第２刃状部とを有し、
前記回転支点部から遠い前記一方の刃状部側の前記保持部は、凹部を有し、
前記ケーブルの先端部は、前記凹部側に曲げられるように構成され、
前記第２ハウジングを前記第１ハウジングに傾斜して挿入した後に回転させることによって、前記一対の圧接部が前記ケーブルと前記保持部とを挟持し、前記コンタクトと前記ケーブルとが接続することを特徴とする圧接コネクタ。
【請求項２】
ケーブルを保持する第１ハウジングと、相手側コネクタと接続する端子部を有するコンタクトと、前記コンタクトを保持する第２ハウジングとから構成されるコネクタにおいて、
前記コンタクトは、前記ケーブルと接続する一対の圧接部を有し、
前記第１ハウジングは、前記ケーブルを保持する保持部を有し、
前記コンタクトに回転支点部が設けられ、前記第１ハウジングに前記回転支点部の支持部が設けられ、
前記一対の圧接部は、第１刃状部と第２刃状部とを有し、
前記回転支点部から遠い前記一方の刃状部側の前記保持部は、凹部を有し、
前記ケーブルの先端部は、前記凹部側に曲げられるように構成され、
前記第２ハウジングを前記第１ハウジングに傾斜して挿入した後に回転させることによって、前記一対の圧接部が前記ケーブルと前記保持部とを挟持し、前記コンタクトと前記ケーブルとが接続することを特徴とする圧接コネクタ。
【請求項３】
前記保持部が溝であることを特徴とする請求項１又は２記載の圧接コネクタ。
【請求項４】
前記ケーブルは同軸ケーブルであり、前記第１ハウジングは前記同軸ケーブルの外部導体と接続するグラウンドバーを有し、前記コンタクトは前記同軸ケーブルの芯線と接続する信号コンタクトと前記グランドバーと接続するグラウンドコンタクトであることを特徴とする請求項１，２又は３記載の圧接コネクタ。
【発明の詳細な説明】
【技術分野】
【０００１】
本発明は、同軸ケーブル及び極細ケーブル等の全般のケーブルと圧接して結線する圧接コネクタに関する。
【背景技術】
【０００２】
複数のケーブルを圧接して結線する従来の圧接コネクタ２０について説明する（例えば、特許文献１参照。）。
【０００３】
図１４（Ａ）に示されるように、絶縁材料から製造されたハウジング２１には、左半分が上方に向かって開口した開口部２１ａが設けられている。ハウジング２１の右方には、紙面に直角な方向で複数のコンタクト２２を等ピッチで収容保持する溝２１ｂが形成されている。各溝２１ｂは、左方で開口部２１ａに連通する。また、ハウジング２１の右側には、相手側コネクタ（図示せず）と嵌合する一対のガイドピン２３が設けられている。
【０００４】
各コンタクト２２は、左方へ延びる第１腕状部２２ａ及び第２腕状部２２ｂ並びに右方へ延びる相手側コネクタのコンタクトと接続する接続部２２ｃを有する。第１腕状部２２ａの先端には、刃状部２２ａ１が形成され、第２腕状部２２ｂの先端には、凹状の上案内面２２ｂ１ａと凸状の下案内面２２ｂ１ｂを有する回転案内部２２ｂ１が形成されている。また、第２腕状部２２ｂの中間部下縁には、係止突起２２ｂ２が設けられている。
【０００５】
ハウジング２１の開口部２１ａには、紙面に直角な方向に延びる蓋状の加圧部材２４が配設されている。加圧部材２４は、絶縁材料から製造され、加圧部２４ａを有する。
【０００６】
加圧部材２４には、複数のスリット状の溝２４ｂが紙面に直角な方向において各コンタクト２２の回転案内部２２ｂ１と対応する位置に形成されている。各溝２４ｂは、上内縁２４ｂ１と下内縁２４ｂ２を有し、上下両内縁２４ｂ１，２４ｂ２は、加圧部材２４が回転するときの回転被案内部となる。上内縁２４ｂ１は、コンタクト２２の凹状の上案内面２２ｂ１ａと適合する凸円弧状に形成され、下内縁２４ｂ２は、直線状に形成されている。そして、上内縁２４ｂ１は、上案内面２２ｂ１ａと、下内縁２４ｂ２は、下案内面２２ｂ１ｂと、それぞれ摺動可能に接触している。
【０００７】
ハウジング２１の各溝２１ｂには、コンタクト２２の第１腕状部２２ａを保持する部分、特に結線部の刃状部２２ａ１を保持する部分に、図１４（Ｂ）に示されるように、上方に開放された収容溝２１ｂ１が形成されている。収容溝２１ｂ１は、刃状部２２ａ１を収容しても、フラットケーブルＦの各ケーブルＣの大部分を収容できる空間を収容溝２１ｂ１の上部に有する。
【０００８】
フラットケーブルＦの各ケーブルＣを圧接コネクタ２０に結線する操作について説明する。
【０００９】
図１４（Ａ），（Ｂ）は、加圧部材２４が開放され、ハウジング２１の開口部２１ａは開放された状態を示す。各ケーブルＣを収容溝２１ｂ１内に挿入して各コンタクト２２の刃状部２２ａ１の上にもたらす。このとき、各ケーブルＣの上部は、図１４（Ｂ）に示されるように、各収容溝２１ｂ１から上方に突出している。
【００１０】
加圧部材２４を図１４（Ａ）の位置から図１５（Ａ）の位置を経て図１５（Ｂ）の位置まで左回転させる。すると、加圧部材２４の下内縁２４ｂ２は各コンタクト２２の下案内面２２ｂ１ｂに案内されてハウジング２１の開口部２１ａの奥部方向に移動する。このとき、加圧部２４ａは、各ケーブルＣに当接し、ハウジング２１で支持されている各ケーブルＣと各コンタクト２２の刃状部２２ａ１を下方に押圧する。この結果、刃状部２２ａ１の刃縁は、図１６に示されるように、各ケーブルＣの被覆に食い込んで各ケーブルＣの芯線Ｃ１と接触する。
【００１１】
前述したように、各ケーブルＣと圧接結線された圧接コネクタ２０は、相手側コネクタと接続することができる。すなわち、一対のガイドピン２３が相手側コネクタのハウジングの一対のガイド孔に案内挿入され、圧接コネクタ２０の各コンタクト２２の接続部２２ｃは相手側コネクタの各コンタクトと接続される。
【００１２】
この種の圧接コネクタは、他の文献にも記載されている（例えば、特許文献２及び特許文献３参照。）。
【特許文献１】特開平１１−３４５６４０号公報（第３頁第４欄第４２行−第５頁第７欄第２３行、図１−４）
【特許文献２】特開平１１−３１７２４８号公報
【特許文献３】特開２０００−２６０４９７号公報
【発明の開示】
【発明が解決しようとする課題】
【００１３】
従来の圧接コネクタでは、加圧部材２４の加圧部２４ａがケーブルＣをコンタクト２２の刃状部２２ａ１に対して押圧するのみであるため、コンタクト２２はケーブルＣと確実に接続し難い。
【００１４】
そこで、本発明は、前記従来の圧接コネクタの欠点を改良し、コンタクトがケーブルと確実に接続することができる圧接コネクタを提供しようとするものである。
【課題を解決するための手段】
【００１５】
本発明は、前記課題を解決するため、次の手段を採用する。
【００１６】
１．ケーブルを保持する第１ハウジングと、相手側コネクタと接続する端子部を有するコンタクトと、前記コンタクトを保持する第２ハウジングとから構成されるコネクタにおいて、前記コンタクトは、前記ケーブルと接続する一対の圧接部を有し、前記第１ハウジングは、前記ケーブルを保持する保持部を有し、前記第２ハウジングに回転支点部が設けられ、前記第１ハウジングに前記回転支点部の支持部が設けられ、前記一対の圧接部は、第１刃状部と第２刃状部とを有し、前記回転支点部から遠い前記一方の刃状部側の前記保持部は、凹部を有し、前記ケーブルの先端部は、前記凹部側に曲げられるように構成され、前記第２ハウジングを前記第１ハウジングに傾斜して挿入した後に回転させることによって、前記一対の圧接部が前記ケーブルと前記保持部とを挟持し、前記コンタクトと前記ケーブルとが接続する圧接コネクタ。
【００１７】
２．ケーブルを保持する第１ハウジングと、相手側コネクタと接続する端子部を有するコンタクトと、前記コンタクトを保持する第２ハウジングとから構成されるコネクタにおいて、前記コンタクトは、前記ケーブルと接続する一対の圧接部を有し、前記第１ハウジングは、前記ケーブルを保持する保持部を有し、前記コンタクトに回転支点部が設けられ、前記第１ハウジングに前記回転支点部の支持部が設けられ、前記一対の圧接部は、第１刃状部と第２刃状部とを有し、前記回転支点部から遠い前記一方の刃状部側の前記保持部は、凹部を有し、前記ケーブルの先端部は、前記凹部側に曲げられるように構成され、前記第２ハウジングを前記第１ハウジングに傾斜して挿入した後に回転させることによって、前記一対の圧接部が前記ケーブルと前記保持部とを挟持し、前記コンタクトと前記ケーブルとが接続する圧接コネクタ。
【００１８】
３．前記保持部が溝である前記１又は２記載の圧接コネクタ。
【００１９】
４．前記ケーブルは同軸ケーブルであり、前記第１ハウジングは前記同軸ケーブルの外部導体と接続するグラウンドバーを有し、前記コンタクトは前記同軸ケーブルの芯線と接続する信号コンタクトと前記グランドバーと接続するグラウンドコンタクトである前記１，２又は３記載の圧接コネクタ。
【発明の効果】
【００２２】
明細書の説明から明らかなように、本発明は、次の効果を奏する。
【００２３】
１．第１ハウジングに第２ハウジングを傾斜して挿入した後に回転させることによって、一対の圧接部がケーブルと第１ハウジングの保持部とを挟持するので、コンタクトがケーブルと確実に接続する。
【００２４】
２．コンタクトは、２箇所でケーブルと接続するので、一層確実に接続することができる。
【００２５】
３．部品点数が増加することがなく、また、構造が簡素であり、更に、コストが安価である。
【００２６】
４．一対の圧接部をいずれも刃状部に構成すると、ケーブルの芯線の被覆を容易に破ることができる。
【００２７】
５．第１ハウジングの保持部を溝に構成すると、ケーブルが第１ハウジングに安定して保持される。
【００２８】
６．コンタクトとケーブルとの間に、信号の伝送とグラウンドとの両方を行うことができる。
【発明を実施するための最良の形態】
【００２９】
本発明の５つの実施例の圧接コネクタについて説明する。
【実施例１】
【００３０】
本発明の実施例１について図１〜図３を参照して説明する。
【００３１】
図１は、圧接コネクタの第１ハウジング１に複数の同軸ケーブル１１を取り付ける過程を示す断面図である。
【００３２】
図１（Ａ）において、合成樹脂製の第１ハウジング１の左方下半部には、各同軸ケーブル１１を収容するための複数の溝１ａ（紙面に直角な方向に一定のピッチで形成されている。）と略３角形状の突出案内部１ｂが設けられる。第１ハウジング１の右半部には、各同軸ケーブル１１を収容するための空間部１ｃ及び複数の溝１ｄと略４角形状の突出案内部１ｅが設けられる。
【００３３】
各同軸ケーブル１１は、芯線１１ａの周囲を誘電体１１ｂとグラウンド用の外部導体１１ｃが順次被覆することによって構成される。各同軸ケーブル１１の先端部の外部導体１１ｃを剥離する。
【００３４】
図１（Ａ）に示される状態において、各同軸ケーブル１１を各溝１ｂ，１ｄに圧入し、かつ、突出案内部１ｂ，１ｅに沿わせると、図１（Ｂ）に示される状態に至る。この状態では、各同軸ケーブル１１にテンションがかかっている。
【００３５】
図２と図３は、圧接コネクタの第２ハウジング６に保持された複数のコンタクト７が各同軸ケーブル１１の芯線１１ａに接続を開始する前から完了するまでの過程を示す断面図である。
【００３６】
図２（Ａ）に示されるように、第２ハウジング６には、各コンタクト７を紙面に直角な方向に一定のピッチで保持するための複数の圧入溝６ａ，６ｂと第２ハウジング６を第１ハウジング１に対して回転するときの支点となる回転支点部６ｃが設けられる。各コンタクト７には、一対の接続端子部７ａ，７ｂ、固定部７ｃ及び圧接端子部７ｄが設けられる。圧接端子部７ｄには、一対の第１刃状部７ｄ１と第２刃状部７ｄ２が対向するように形成される。各コンタクト７の接続端子部７ｂと固定部７ｃは、それぞれ第２ハウジング６の各圧入溝６ａ，６ｂに圧入される。
【００３７】
図２（Ａ）に示される第２ハウジング６が第１ハウジング１に傾斜して挿入された状態において、第２ハウジング６を回転支点部６ｃを中心（ただし、若干移動する。）として右回転させると、回転支点部６ｃが第１ハウジング１の突出支持部１ｆに突き当たり、第２ハウジング６は図２（Ｂ）に示される状態を経て図３に示される状態まで移動する。このとき、各コンタクト７の第１刃状部７ｄ１と第２刃状部７ｄ２が各同軸ケーブル１１の誘電体１１ｂを破って芯線１１ａと圧接するので、各コンタクト７は各同軸ケーブル１１と結線する。一対の圧接部（７ｄ１，７ｄ２）により、第１ハウジング１の保持部（突出案内部１ｅ）と同軸ケーブル１１は、ともに挟持される。この後、圧接コネクタの各一対の接続端子部７ａ，７ｂは、相手側コネクタ（図示せず）の各接続端子部と接続される。
【実施例２】
【００３８】
本発明の実施例２について図４と図５を参照して説明する。実施例２以下の説明については、既述の実施例と同様な点の説明を省略し、相違する点のみの説明を行う。
【００３９】
図４（Ａ）は第１ハウジング１にグラウンドバー８を圧入する前の状態の断面図、図４（Ｂ）は圧入後の下面図、図４（Ｃ）は図４（Ｂ）における線Ａ−Ａによる断面図、図４（Ｄ）は図４（Ｂ）における線Ｂ−Ｂによる断面図を、それぞれ示す。
【００４０】
グラウンドバー８は、一対の側部８ａと、両側部８ａを連結する長方形枠状の連結部８ｂとから構成される。各側部８ａは、圧入部８ａ１と、第１直線状連結部８ａ２と、コ字状部８ａ３と、第２直線状連結部８ａ４と、Ｌ字状部８ａ５とから一体に構成される。
【００４１】
グラウンドバー８の第１ハウジング１への取り付けは、次のように行う。図４（Ａ）において、各側部８ａの圧入部８ａ１を第１ハウジング１に設けられた各溝（図示せず）に圧入する。この際、コ字状部８ａ３とＬ字状部８ａ５は、それぞれ第１ハウジング１に設けられた溝１ｇ，１ｈに挿入され、各側部８ａは、図４（Ｄ）に示される状態に至る。そして、図４（Ｃ）に示されるように、グラウンドバー８の連結部８ｂの上面と各同軸ケーブル１１の外部導体１１ｃを半田付けする。
【００４２】
この後、第２ハウジング６を第１ハウジング１に対して図５（Ａ）の状態から図５（Ｂ）の状態まで回転させると、両コンタクト７の第１刃状部７ｄ１はグラウンドバー８の両Ｌ字状部８ａ５に食い込む。このようにして、グラウンド構造が構成される。
【００４３】
各コンタクト７は、実施例１では信号コンタクトであるが、実施例２では信号コンタクトとグラウンドコンタクトである。
【実施例３】
【００４４】
本発明の実施例３について図６〜図８を参照して説明する。
【００４５】
実施例３においては、実施例１の突出支持部１ｆを第１ハウジング１から更に突出することによって、突出支持部１ｉを構成する。また、各コンタクト７の圧接端子部７ｄにおいて、第１刃状部７ｄ１とは反対側に離脱防止用突出部７ｄ３を設ける。
【００４６】
第２ハウジング６を第１ハウジング１に対して図７（Ａ）の状態から図８の状態まで回転するとき、離脱防止用突出部７ｄ３は、突出支持部１ｉに突き当たっているので、突出支持部１ｉから外れることを防止される。
【実施例４】
【００４７】
本発明の実施例４について図９と図１０を参照して説明する。
【００４８】
実施例４は、実施例２における第１ハウジング１と両コンタクト７の圧接端子部７ｄに、実施例３における突出支持部１ｉと離脱防止用突出部７ｄ３をそれぞれ採用したものである。
【００４９】
図１１は、実施例１〜４の圧接コネクタに各同軸ケーブル１１が接続された状態を示す斜視図である。
【００５０】
図１２は、複数の同軸ケーブル１１がフラットケーブルを構成し、フラットケーブルの両端がフィルム状のシート１１ｄによって固定され、中央の誘電体１１ｂが露出している状態を示す正面図である。
【実施例５】
【００５１】
本発明の実施例５について図１３を参照して説明する。
【００５２】
（Ａ）は圧接コネクタに各同軸ケーブル１１が結線された状態の斜視図、（Ｂ）は（Ａ）における線Ａ−Ａによる第２ハウジング６の回転途中の状態の断面図、（Ｃ）は（Ａ）における線Ａ−Ａによる断面図を、それぞれ示す。
【００５３】
実施例５は、実施例３を次のように改造したものである。実施例３の各コンタクト７において、一対の接続端子部７ａ，７ｂと固定部７ｃの各方向を逆に変え、かつ、第１刃状部７ｄ１に回転中心を兼備させる。また、第２ハウジング６に被ストッパ部６ｄを設け、第１ハウジング１の突出支持部１ｉをストッパ部１ｊに変える。更に、第１ハウジング１に係止部１ｋを、第２ハウジング６に被係止部６ｅを、それぞれ設ける。
【００５４】
実施例１〜５において、各コンタクト７は、金属薄板から製造される。また、第１ハウジングの溝１ａ，１ｄ，１ｇ，１ｈの形状は、Ｖ型又は凹型等に形成することができる。
【図面の簡単な説明】
【００５５】
【図１】本発明の実施例１の圧接コネクタにおける第１ハウジングに複数の同軸ケーブルを取り付ける過程の断面図であり、（Ａ）は取り付ける途中の状態、（Ｂ）は取り付けた状態を、それぞれ示す。
【図２】同圧接コネクタに同同軸ケーブルを結線する過程の断面図であり、（Ａ）は最初の状態、（Ｂ）は途中の状態を、それぞれ示す。
【図３】同圧接コネクタに同同軸ケーブルの結線を完了した状態の断面図である。
【図４】本発明の実施例２の圧接コネクタにおける第１ハウジングと複数の同軸ケーブルの諸図であり、（Ａ）はグラウンドバーを取り付ける前の状態の断面図、（Ｂ）は下面図、（Ｃ）は（Ｂ）における線Ａ−Ａによる断面図、（Ｄ）は（Ｂ）における線Ｂ−Ｂによる断面図を、それぞれ示す。
【図５】同圧接コネクタに同同軸ケーブルを結線する過程の断面図であり、（Ａ）は途中の状態、（Ｂ）は結線が完了した状態を、それぞれ示す。
【図６】本発明の実施例３の圧接コネクタにおける第１ハウジングに複数の同軸ケーブルを取り付ける過程の断面図であり、（Ａ）は取り付ける途中の状態、（Ｂ）は取り付けた状態を、それぞれ示す。
【図７】同圧接コネクタに同同軸ケーブルを結線する過程の断面図であり、（Ａ）は最初の状態、（Ｂ）は途中の状態を、それぞれ示す。
【図８】同圧接コネクタに同同軸ケーブルの結線を完了した状態の断面図である。
【図９】本発明の実施例４の圧接コネクタにおける第１ハウジングと複数の同軸ケーブルの諸図であり、（Ａ）はグラウンドバーを取り付ける前の状態の断面図、（Ｂ）は下面図、（Ｃ）は（Ｂ）における線Ａ−Ａによる断面図、（Ｄ）は（Ｂ）における線Ｂ−Ｂによる断面図を、それぞれ示す。
【図１０】同圧接コネクタに同同軸ケーブルを結線する過程の断面図であり、（Ａ）は途中の状態、（Ｂ）は結線が完了した状態を、それぞれ示す。
【図１１】本発明の実施例１〜４の同圧接コネクタに同同軸ケーブルが接続された状態の斜視図である。
【図１２】同同軸ケーブルが構成するフラットケーブルの正面図である。
【図１３】本発明の実施例５の圧接コネクタの諸図であり、（Ａ）は斜視図、（Ｂ）は同圧接コネクタに複数の同軸ケーブルを結線する途中の断面図、（Ｃ）は結線が完了した状態の断面図を、それぞれ示す。
【図１４】従来の圧接コネクタに複数の同軸ケーブルを結線する最初の状態の断面図であり、（Ａ）は全体の断面図、（Ｂ）は（Ａ）における線Ａ−Ａによる断面図を、それぞれ示す。
【図１５】同圧接コネクタに同同軸ケーブルを結線する過程の断面図であり、（Ａ）は途中の状態、（Ｂ）は結線が完了した状態を、それぞれ示す。
【図１６】図１５（Ｂ）における結線箇所の紙面に直交する方向の断面図である。
【符号の説明】
【００５６】
１  第１ハウジング
１ａ  溝
１ｂ  突出案内部
１ｃ  空間部
１ｄ  溝
１ｅ  突出案内部
１ｆ  突出支持部
１ｇ  溝
１ｈ  溝
１ｉ  突出支持部
１ｊ  ストッパ部
１ｋ  係止部
６  第２ハウジング
６ａ  圧入溝
６ｂ  圧入溝
６ｃ  回転支点部
６ｄ  被ストッパ部
６ｅ  被係止部
７  コンタクト
７ａ  接続端子部
７ｂ  接続端子部
７ｃ  固定部
７ｄ  圧接端子部
７ｄ１  第１刃状部
７ｄ２  第２刃状部
７ｄ３  離脱防止用突出部
８  グラウンドバー
８ａ  側部
８ａ１  圧入部
８ａ２  第１直線状連結部
８ａ３  コ字状部
８ａ４  第２直線状連結部
８ａ５  Ｌ字状部
８ｂ  連結部
１１  同軸ケーブル
１１ａ  芯線
１１ｂ  誘電体
１１ｃ  外部導体
１１ｄ  シート
【要約】
【課題】  コンタクトがケーブルと確実に接続することができる圧接コネクタを提供する。
【解決手段】  圧接コネクタは、ケーブル１１を保持する第１ハウジング１と、相手側コネクタと接続する接続端子部７ａ，７ｂを有するコンタクト７と、コンタクトを保持する第２ハウジング６とから構成される。コンタクトは、ケーブルの芯線１１ａと接続する一対の第１刃状部７ｄ１と第２刃状部７ｄ２とを有する。第１ハウジングは、ケーブルを保持する突出案内部１ｅを有する。第２ハウジングを第１ハウジングに傾斜して挿入した後に回転させることによって、一対の刃状部がケーブルと突出案内部とを挟持する。一対の刃状部は、ケーブルの誘電体１１ｂを破るので、コンタクトとケーブルとは、接続する。
【選択図】  図２
【図１】
0003595940.tif 000002
【図２】
0003595940.tif 000003
【図３】
0003595940.tif 000004
【図４】
0003595940.tif 000005
【図５】
0003595940.tif 000006
【図６】
0003595940.tif 000007
【図７】
0003595940.tif 000008
【図８】
0003595940.tif 000009
【図９】
0003595940.tif 000010
【図１０】
0003595940.tif 000011
【図１１】
0003595940.tif 000012
【図１２】
0003595940.tif 000013
【図１３】
0003595940.tif 000014
【図１４】
0003595940.tif 000015
【図１５】
0003595940.tif 000016
【図１６】
0003595940.tif 000017